(57)【特許請求の範囲】
【請求項１】
基地局において送信ダイバーシチを適用できる移動通信システムにおいて、該移動通信システムを構成する移動通信端末であって、
送信ダイバーシチによって得られる利得分を推定する送信ダイバーシチ利得推定手段と、
共通パイロットチャネルの受信信号から、各送信アンテナからの各マルチパスのチャネルベクトルを推定するチャネルベクトル推定手段と、
各送信アンテナのウェイトベクトルを推定するウェイトベクトル推定手段と、
チャネルベクトルの推定値とウェイトベクトルの推定値を用いて、各送信アンテナからのパイロット信号のＲａｋｅ合成出力信号の平均値を推定するＲａｋｅ合成後パイロット信号平均化手段と、
前記Ｒａｋｅ合成出力信号の平均値に、前記送信ダイバーシチによって得られる利得分の推定値を反映する送信ダイバーシチ利得反映手段と、
送信ダイバーシチ利得反映後の受信信号電力を計算する受信信号電力計算手段と
を備えることを特徴とする移動通信システムにおける移動通信端末。
【請求項２】
請求項１記載の移動通信端末において、前記送信ダイバーシチ利得推定手段は、前記ウェイトベクトルの推定値と前記チャネルベクトルの推定値とを用いて、前記各送信アンテナからの受信信号のＲａｋｅ合成後の受信信号振幅と送信ダイバーシチを適用された信号のＲａｋｅ合成後の受信信号振幅との比を推定する送信ダイバーシチ利得比計算手段を備え、前記送信ダイバーシチ利得反映手段は、前記送信ダイバーシチ利得比計算手段により計算された利得比を、各送信アンテナからの信号のＲａｋｅ合成出力信号にかけあわせることを特徴とする移動通信システムにおける移動通信端末。
【請求項３】
請求項２記載の移動通信端末において、前記Ｒａｋｅ合成後パイロット信号平均化手段は、アンテナ１とアンテナ２の個別パイロットシンボルの変調パターンをそれぞれｘ1(n)とｘ2(n)とし、逆拡散を行うフィンガの数をＫとし、前記チャネルベクトル推定手段により得られる、アンテナ１とアンテナ２のｋ番目のフィンガのチャネル推定値をそれぞれ
【外１】
0003758075.tif 000123
とし、前記ウェイトベクトル推定手段により得られるアンテナ２のウェイトベクトルを
【外２】
0003758075.tif 000124
とし、個別チャネルの拡散符号長をＳＦDCHとし、個別パイロットシンボル数をＮDPとし、ＤＣＨのｋ番目のフィンガの受信逆拡散信号をｒk（ｎ）とし、アンテナ１とアンテナ２の個別パイロットシンボルのＲａｋｅ合成後信号を
【外３】
0003758075.tif 000125
とした場合、送信アンテナ１と送信アンテナ２の個別パイロットシンボルのＲａｋｅ合成後信号をそれぞれ
【数１】
0003758075.tif 000126
と計算し出力することを特徴とする移動通信システムにおける移動通信端末。
【請求項４】
請求項２記載の移動通信端末において、前記ダイバーシチ利得比推定手段は、逆拡散を行うフィンガの数をＫとし、前記チャネルベクトル推定手段により得られる、アンテナ１とアンテナ２のｋ番目のフィンガのチャネル推定値をそれぞれ
【外４】
0003758075.tif 000127
とし、前記ウェイトベクトル推定手段により得られるアンテナ２のウェイトベクトルを
【外５】
0003758075.tif 000128
とし、アンテナ１とアンテナ２の送信ダイバーシチ利得比をそれぞれ
【外６】
0003758075.tif 000129
とした場合に、
【数２】
0003758075.tif 000130
と計算し出力することを特徴とする移動通信システムにおける移動通信端末。
【請求項５】
請求項２記載の移動通信端末において、前記送信ダイバーシチ利得反映手段は、アンテナ１とアンテナ２の個別パイロットシンボルのＲａｋｅ合成後信号を
【外７】
0003758075.tif 000131
とし、アンテナ１とアンテナ２の送信ダイバーシチ利得比をそれぞれ
【外８】
0003758075.tif 000132
とし、送信ダイバーシチ利得反映後の信号をそれぞれ
【外９】
0003758075.tif 000133
とした場合に、利得分の推定値の反映後の信号をそれぞれ
【数３】
0003758075.tif 000134
と計算し出力することを特徴とする移動通信システムにおける移動通信端末。
【請求項６】
請求項２記載の移動通信端末において、前記受信信号電力計算手段は、送信ダイバーシチ利得反映後の信号をそれぞれ
【外１０】
0003758075.tif 000135
とし、前記受信信号電力を
【外１１】
0003758075.tif 000136
とした場合に、
【数４】
0003758075.tif 000137
と計算し出力することを特徴とする移動通信システムにおける移動通信端末。
【請求項７】
請求項１記載の移動通信端末において、前記送信ダイバーシチ利得推定手段は、前記ウェイトベクトルの推定値と前記チャネルベクトルの推定値を用いて、各送信アンテナからの受信信号のＲａｋｅ合成後の受信信号振幅と送信ダイバーシチを適用された信号のＲａｋｅ合成後の受信信号振幅の差を推定する送信ダイバーシチ利得差分計算手段を備え、前記送信ダイバーシチ利得反映手段は、前記送信ダイバーシチ利得差分計算手段により計算された差分を、各送信アンテナからの信号のＲａｋｅ合成出力信号に足し合わせることを特徴とする移動通信システムにおける移動通信端末。
【請求項８】
請求項７記載の移動通信端末において、前記Ｒａｋｅ合成後パイロット信号平均化手段は、アンテナ１とアンテナ２の個別パイロットシンボルの変調パターンをそれぞれｘ1(n)とｘ2(n)とし、逆拡散を行うフィンガの数をＫとし、前記チャネルベクトル推定手段により得られる、アンテナ１とアンテナ２のｋ番目のフィンガのチャネル推定値をそれぞれ
【外１２】
0003758075.tif 000138
とし、前記ウェイトベクトル推定手段により得られるアンテナ２のウェイトベクトルを
【外１３】
0003758075.tif 000139
とし、個別チャネルの拡散符号長をＳＦDCHとし、個別パイロットシンボル数をＮDPとし、ＤＣＨのｋ番目のフィンガの受信逆拡散信号をｒk（ｎ）とし、アンテナ１とアンテナ２の個別パイロットシンボルのＲａｋｅ合成後信号を
【外１４】
0003758075.tif 000140
とした場合、送信アンテナ１と送信アンテナ２の個別パイロットシンボルのＲａｋｅ合成後信号をそれぞれ
【数５】
0003758075.tif 000141
と計算し出力することを特徴とする移動通信システムにおける移動通信端末。
【請求項９】
請求項７記載の移動通信端末において、前記送信ダイバーシチ利得差分計算手段は、逆拡散を行うフィンガの数をＫとし、前記チャネルベクトル推定手段により得られる、アンテナ１とアンテナ２のｋ番目のフィンガのチャネル推定値をそれぞれ
【外１５】
0003758075.tif 000142
とし、前記ウェイトベクトル推定手段により得られるアンテナ２のウェイトベクトルを
【外１６】
0003758075.tif 000143
とし、アンテナ１とアンテナ２のｋ番目のフィンガの、個別パイロットチャネルから計算されるチャネル推定値をそれぞれ
【外１７】
0003758075.tif 000144
とし、複素数の実数部分をＲｅ［］とし、送信ダイバーシチ利得差を
【外１８】
0003758075.tif 000145
とした場合、
【数６】
0003758075.tif 000146
と計算し出力することを特徴とする移動通信システムにおける移動通信端末。
【請求項１０】
請求項７記載の移動通信端末において、前記送信ダイバーシチ利得反映手段は、アンテナ１とアンテナ２の個別パイロットシンボルのＲａｋｅ合成後信号を
【外１９】
0003758075.tif 000147
とし、送信ダイバーシチ利得差を
【外２０】
0003758075.tif 000148
とし、送信ダイバーシチ利得反映後の信号を
【外２１】
0003758075.tif 000149
とした場合、
【数７】
0003758075.tif 000150
と計算し出力することを特徴とする移動通信システムにおける移動通信端末。
【請求項１１】
請求項７記載の移動通信端末において、前記受信信号電力計算手段は、送信ダイバーシチ利得反映後の信号を
【外２２】
0003758075.tif 000151
とし、前記受信信号電力を
【外２３】
0003758075.tif 000152
とした場合、
【数８】
0003758075.tif 000153
と計算し出力することを特徴とする移動通信システムにおける移動通信端末。
【請求項１２】
基地局において送信ダイバーシチを適用できる移動通信システムにおいて、該移動通信システムを構成する移動通信端末であって、
各送信アンテナのウェイトベクトルを推定するウェイトベクトル推定手段と、
共通パイロットチャネルの受信値により各送信アンテナからの受信信号のチャネルベクトルを推定するチャネルベクトル推定手段と、
前記ウェイトベクトルの推定値と前記チャネルベクトルの推定値を用いて、送信ダイバーシチを適用した場合の共通パイロットチャネルの受信信号電力を計算する送信ダイバーシチ適用共通パイロットチャネル受信信号電力計算手段と、
共通パイロットチャネルと個別物理チャネルの送信電力比を推定する送信電力比推定手段と、
前記送信ダイバーシチ適用共通パイロットチャネル受信信号電力計算手段によって計算された受信信号電力と前記送信電力比推定手段によって計算された送信電力比とをかけあわせて送信ダイバーシチ利得反映後の個別物理チャネルの電力を計算する受信信号電力計算手段と
を備えることを特徴とする移動通信システムにおける移動通信端末。
【請求項１３】
請求項１２記載の移動通信端末において、前記送信ダイバーシチ適用共通パイロットチャネル受信信号電力計算手段は、逆拡散を行うフィンガの数をＫとし、前記チャネルベクトル推定手段により得られる、アンテナ１とアンテナ２のｋ番目のフィンガのチャネル推定値をそれぞれ
【外２４】
0003758075.tif 000154
とし、前記ウェイトベクトル推定手段により得られるアンテナ２のウェイトベクトルを
【外２５】
0003758075.tif 000155
とし、前記送信ダイバーシチ適用共通パイロットチャネル受信信号電力を
【外２６】
0003758075.tif 000156
とした場合、
【数９】
0003758075.tif 000157
と計算し出力することを特徴とする移動通信システムにおける移動通信端末。
【請求項１４】
請求項１２記載の移動通信端末において、前記送信電力比推定手段は、逆拡散を行うフィンガの数をＫとし、アンテナ１とアンテナ２のｋ番目のフィンガのチャネル推定値をそれぞれ
【外２７】
0003758075.tif 000158
とし、前記送信ダイバーシチ適用共通パイロットチャネル受信信号電力を
【外２８】
0003758075.tif 000159
とし、アンテナ１とアンテナ２のｋ番目のフィンガの、個別パイロットチャネルから計算されるチャネル推定値をそれぞれ
【外２９】
0003758075.tif 000160
とし、前記送信電力を
【外３０】
0003758075.tif 000161
とした場合、
【数１０】
0003758075.tif 000162
と計算し出力することを特徴とする移動通信システムにおける移動通信端末。
【請求項１５】
基地局において送信ダイバーシチを適用できる移動通信システムにおける受信信号電力測定方法であって、
送信ダイバーシチによって得られる利得分を推定する送信ダイバーシチ利得推定工程と、
各送信アンテナからのパイロット信号のＲａｋｅ合成出力信号の平均値を推定するＲａｋｅ合成後パイロット信号平均化工程と、
該Ｒａｋｅ合成出力信号の平均値に、前記送信ダイバーシチによって得られる利得分の推定値を反映する送信ダイバーシチ利得反映工程と、
送信ダイバーシチ利得反映後の受信信号電力を計算する受信信号電力計算工程と
を備えることを特徴とする移動通信システムにおける受信信号電力測定方法。
【請求項１６】
請求項１５記載の受信信号電力測定方法において、前記送信ダイバーシチ利得推定工程は、
各送信アンテナのウェイトベクトルを推定するウェイトベクトル推定工程と、
共通パイロットチャネルの受信値により各送信アンテナからの受信信号のチャネルベクトルを推定するチャネルベクトル推定工程と、
前記ウェイトベクトルの推定値と前記チャネルベクトルの推定値を用いて、各受信信号の各アンテナからの受信信号のＲａｋｅ合成後の受信信号振幅と送信ダイバーシチを適用された信号のＲａｋｅ合成後の受信信号振幅との比を推定する送信ダイバーシチ利得比計算工程と
を備え、前記送信ダイバーシチ利得反映工程は、前記送信ダイバーシチ利得比計算工程により計算された利得比を、各送信アンテナからの信号のＲａｋｅ合成出力信号にかけあわせることを特徴とする移動通信システムにおける受信信号電力測定方法。
【請求項１７】
請求項１６記載の受信信号電力測定方法において、前記Ｒａｋｅ合成後パイロット信号平均化工程は、アンテナ１とアンテナ２の個別パイロットシンボルの変調パターンをそれぞれｘ1(n)とｘ2(n)とし、逆拡散を行うフィンガの数をＫとし、前記チャネルベクトル推定工程により得られる、アンテナ１とアンテナ２のｋ番目のフィンガのチャネル推定値をそれぞれ
【外３１】
0003758075.tif 000163
とし、前記ウェイトベクトル推定工程により得られるアンテナ２のウェイトベクトルを
【外３２】
0003758075.tif 000164
とし、個別チャネルの拡散符号長をＳＦDCHとし、個別パイロットシンボル数をＮDPとし、ＤＣＨのｋ番目のフィンガの受信逆拡散信号をｒk（ｎ）とし、アンテナ１とアンテナ２の個別パイロットシンボルのＲａｋｅ合成後信号を
【外３３】
0003758075.tif 000165
とした場合、送信アンテナ１と送信アンテナ２の個別パイロットシンボルのＲａｋｅ合成後信号をそれぞれ
【数１１】
0003758075.tif 000166
を計算し出力することを特徴とする移動通信システムにおける受信信号電力測定方法。
【請求項１８】
請求項１６記載の受信信号電力測定方法において、前記ダイバーシチ利得比推定工程は、逆拡散を行うフィンガの数をＫとし、前記チャネルベクトル推定工程により得られる、アンテナ１とアンテナ２のｋ番目のフィンガのチャネル推定値をそれぞれ
【外３４】
0003758075.tif 000167
とし、前記ウェイトベクトル推定工程により得られるアンテナ２のウェイトベクトルを
【外３５】
0003758075.tif 000168
とし、アンテナ１とアンテナ２の送信ダイバーシチ利得比をそれぞれ
【外３６】
0003758075.tif 000169
とした場合に、
【数１２】
0003758075.tif 000170
と計算し出力することを特徴とする移動通信システムにおける受信信号電力測定方法。
【請求項１９】
請求項１６記載の受信信号電力測定方法において、前記送信ダイバーシチ利得反映工程は、アンテナ１とアンテナ２の個別パイロットシンボルのＲａｋｅ合成後信号を
【外３７】
0003758075.tif 000171
とし、アンテナ１とアンテナ２の送信ダイバーシチ利得比をそれぞれ
【外３８】
0003758075.tif 000172
とし、送信ダイバーシチ利得反映後の信号をそれぞれ
【外３９】
0003758075.tif 000173
とした場合に、
【数１３】
0003758075.tif 000174
と計算し出力することを特徴とする移動通信システムにおける受信信号電力測定方法。
【請求項２０】
請求項１６記載の受信信号電力測定方法において、前記受信信号電力計算工程は、送信ダイバーシチ利得反映後の信号をそれぞれ
【外４０】
0003758075.tif 000175
とし、前記受信信号電力を
【外４１】
0003758075.tif 000176
とした場合に、
【数１４】
0003758075.tif 000177
と計算し出力することを特徴とする移動通信システムにおける受信信号電力測定方法。
【請求項２１】
請求項１６記載の受信信号電力測定方法において、前記送信ダイバーシチ利得推定工程は、前記ウェイトベクトルの推定値と前記チャネルベクトルの推定値を用いて、各受信信号の各アンテナからの受信信号のＲａｋｅ合成後の受信信号振幅と送信ダイバーシチを適用された信号のＲａｋｅ合成後の受信信号振幅の差を推定する送信ダイバーシチ利得差分計算工程を備え、前記送信ダイバーシチ利得反映工程は、前記受信信号振幅の差を推定する工程により計算された差分を、各送信アンテナからの信号のＲａｋｅ合成出力信号に足し合わせることを特徴とする移動通信システムにおける受信信号電力測定方法。
【請求項２２】
請求項２１記載の受信信号電力測定方法において、前記Ｒａｋｅ合成後パイロット信号平均化工程は、アンテナ１とアンテナ２の個別パイロットシンボルの変調パターンをそれぞれｘ1(n)とｘ2(n)とし、逆拡散を行うフィンガの数をＫとし、前記チャネルベクトル推定工程により得られる、アンテナ１とアンテナ２のｋ番目のフィンガのチャネル推定値をそれぞれ
【外４２】
0003758075.tif 000178
とし、前記ウェイトベクトル推定工程により得られるアンテナ２のウェイトベクトルを
【外４３】
0003758075.tif 000179
とし、個別チャネルの拡散符号長をＳＦDCHとし、個別パイロットシンボル数をＮDPとし、ＤＣＨのｋ番目のフィンガの受信逆拡散信号をｒk（ｎ）とし、アンテナ１とアンテナ２の個別パイロットシンボルのＲａｋｅ合成後信号を
【外４４】
0003758075.tif 000180
とした場合、送信アンテナ１と送信アンテナ２の個別パイロットシンボルのＲａｋｅ合成後信号をそれぞれ
【数１５】
0003758075.tif 000181
と計算し出力することを特徴とする移動通信システムにおける受信信号電力測定方法。
【請求項２３】
請求項２１記載の受信信号電力測定方法において、前記送信ダイバーシチ利得差分計算工程は、逆拡散を行うフィンガの数をＫとし、前記チャネルベクトル推定工程により得られる、アンテナ１とアンテナ２のｋ番目のフィンガのチャネル推定値をそれぞれ
【外４５】
0003758075.tif 000182
とし、前記ウェイトベクトル推定工程により得られるアンテナ２のウェイトベクトルを
【外４６】
0003758075.tif 000183
とし、アンテナ１とアンテナ２のｋ番目のフィンガの、個別パイロットチャネルから計算されるチャネル推定値をそれぞれ
【外４７】
0003758075.tif 000184
とし、複素数の実数部分をＲｅ［］とし、送信ダイバーシチ利得差を
【外４８】
0003758075.tif 000185
とした場合、
【数１６】
0003758075.tif 000186
と計算し出力することを特徴とする移動通信システムにおける受信信号電力測定方法。
【請求項２４】
請求項２１記載の受信信号電力測定方法において、前記送信ダイバーシチ利得反映工程は、アンテナ１とアンテナ２の個別パイロットシンボルのＲａｋｅ合成後信号を
【外４９】
0003758075.tif 000187
とし、送信ダイバーシチ利得差を
【外５０】
0003758075.tif 000188
とし、送信ダイバーシチ利得反映後の信号を
【外５１】
0003758075.tif 000189
とした場合、
【数１７】
0003758075.tif 000190
と計算して出力することを特徴とする移動通信システムにおける受信信号電力測定方法。
【請求項２５】
請求項２１記載の受信信号電力測定方法において、前記受信信号電力計算工程は、送信ダイバーシチ利得反映後の信号を
【外５２】
0003758075.tif 000191
とし、前記受信信号電力を
【外５３】
0003758075.tif 000192
とした場合、
【数１８】
0003758075.tif 000193
と計算し出力することを特徴とする移動通信システムにおける受信信号電力測定方法。
【請求項２６】
基地局において送信ダイバーシチを適用できる移動通信システムにおける受信信号電力測定方法であって、
各送信アンテナのウェイトベクトルを推定するウェイトベクトル推定工程と、
共通パイロットチャネルの受信値により各送信アンテナからの受信信号のチャネルベクトルを推定するチャネルベクトル推定工程と、
前記ウェイトベクトルの推定値と前記チャネルベクトルの推定値を用いて、送信ダイバーシチを適用した場合の共通パイロットチャネルの受信信号電力を計算する送信ダイバーシチ適用共通パイロットチャネル受信信号電力計算工程と、
共通パイロットチャネルと個別物理チャネルの送信電力比を推定する送信電力比推定工程と、
前記共通パイロットチャネルの受信信号電力を計算する工程で計算された受信信号電力と前記送信電力比を推定する工程で計算された送信電力比とをかけあわせることで、送信ダイバーシチ利得反映後の個別物理チャネルの電力を計算する受信信号電力計算工程と
を備えることを特徴とする移動通信システムにおける受信信号電力測定方法。
【請求項２７】
請求項２６記載の受信信号電力測定方法において、前記送信ダイバーシチ適用共通パイロットチャネル受信信号電力計算工程は、逆拡散を行うフィンガの数をＫとし、前記チャネルベクトル推定工程により得られる、アンテナ１とアンテナ２のｋ番目のフィンガのチャネル推定値をそれぞれ
【外５４】
0003758075.tif 000194
とし、前記ウェイトベクトル推定工程により得られるアンテナ２のウェイトベクトルを
【外５５】
0003758075.tif 000195
とし、前記送信ダイバーシチ適用共通パイロットチャネル受信信号電力を
【外５６】
0003758075.tif 000196
とした場合、
【数１９】
0003758075.tif 000197
を計算し出力することを特徴とする移動通信システムにおける受信信号電力測定方法。
【請求項２８】
請求項２７記載の受信信号電力測定方法において、前記送信電力比推定工程は、逆拡散を行うフィンガの数をＫとし、アンテナ１とアンテナ２のｋ番目のフィンガのチャネル推定値をそれぞれ
【外５７】
0003758075.tif 000198
とし、アンテナ１とアンテナ２のｋ番目のフィンガの、個別パイロットチャネルから計算されるチャネル推定値をそれぞれ
【外５８】
0003758075.tif 000199
とし、前記送信ダイバーシチ適用共通パイロットチャネル受信信号電力を
【外５９】
0003758075.tif 000200
とし、前記受信信号電力を
【外６０】
0003758075.tif 000201
とした場合、
【数２０】
0003758075.tif 000202
と計算し出力することを特徴とする移動通信システムにおける受信信号電力測定方法。
【発明の詳細な説明】
【０００１】
【発明の属する技術分野】
本発明は、ディジタル無線通信、特に移動通信システムにおける、移動通信端末に関し、より詳細には、無線基地局において複数アンテナを用いた送信ダイバーシチを適用している場合の送信電力制御用の受信信号電力測定方法および移動通信端末に関するものである。
【０００２】
【従来の技術】
以下の説明では、移動通信システムのアクセス技術としてＣＤＭＡ（ＣｏｄｅＤｉｖｉｓｉｏｎ  Ｍｕｌｔｉｐｌｅ  Ａｃｃｅｓｓ）を用いた場合を想定する。本発明はＣＤＭＡ以外のアクセス方式を適用した移動通信システムにも採用することは可能であるが、本発明が目的とする、高精度な送信電力制御が、システム容量に及ぼす効果がより大きいと考えられるＣＤＭＡを適用した移動通信システムに本発明を採用した場合について説明する。
【０００３】
図１に、ＣＤＭＡ移動通信システムの送信電力制御の流れと無線スロット構成との関係の一例を示す。図１の（１）に示すように、受信信号電力測定は送信電力制御区間（以降“スロット”とする）ごとに行う。雑音干渉電力の測定結果を用いて割り算を行い（（２）)、受信ＳＮＩＲ（信号電力対干渉電力比）を求めた後、基準ＳＮＩＲと比較を行って（（３））、測定結果が基準ＳＮＩＲを上回った場合には基地局送信電力を下げるように、測定結果が基準ＳＮＩＲを下回った場合には基地局送信電力を上げるように、送信側のチャネルの送信電力制御指示子を送信する（（４））。個別チャネル中にはＳＮＩＲ測定、チャネル推定、送信ウェイトの推定に用いられる個別パイロットシンボルが配置されており、受信信号電力測定には、該個別パイロットシンボルが用いられる。
【０００４】
本発明では基地局アンテナによる送信ダイバーシチとして、文献（３ＧＰＰ  ＲＡＮ  ＴＳ２５．２１４  Ｖ３．１．０，Ｄｅｃ  １９９９）に記述されている閉ループモード１が適用される場合を想定している。図２は、閉ループモード１の概要構成を示したものである。図２において、ｃ1,k，ｃ2,kはそれぞれアンテナ１および２からのｋ番目のマルチパスのチャネルベクトルとし、ｗ1，ｗ2は各アンテナのウェイトベクトル（位相、振幅を操作する複素数）を示す。
【０００５】
各マルチパスの受信複素信号は、マルチパス干渉、熱雑音や他セル干渉など無視すると、元々の送信シンボルｓ（ｔ）に、このウェイティングファクタ（ウェイトベクトル）と、チャネルベクトルをかけあわせた信号となり、これらがマルチパス分だけ足された形で受信される。即ち、マルチパスの数をPathとすると、受信信号ｒ（ｔ）は下式で表される。
【０００６】
【数２１】
0003758075.tif 000002
【０００７】
ただし、τkはｋ番目のマルチパスの遅延時間を示し、数式（２）のなかでｗ1は常時１であるので右辺では省略し、ｗ2をｗとしている。
【０００８】
Ｋを有効フィンガ数とし、このｒ（ｔ）から得られるｎシンボル目のＲａｋｅ合成出力をｚ（ｎ）（ｓ（ｎ）の推定値）とすると、ｚ（ｎ）は以下のように表される（雑音干渉成分は省略する）。
【０００９】
【数２２】
0003758075.tif 000003
【００１０】
移動端末は、このＲａｋｅ合成後の受信信号ｚ（ｎ）の電力を大きくするような送信ウェイトｗを選択し、上りの個別チャネルにマッピングされるフィードバックインフォメーション（ＦＢＩ）を用いて制御する。
【００１１】
移動機における送信電力制御用のＳＩＲ測定ではＲａｋｅ合成後の受信信号電力と雑音干渉電力が計算できることが望ましい。送信ダイバーシチの閉ループモード１を適用している個別チャネルＲａｋｅ合成後信号電力Ｓは以下のように表される。
【００１２】
【数２３】
0003758075.tif 000004
【００１３】
ただし、
【外６１】
0003758075.tif 000005
【００１４】
は片方のアンテナからの個別チャネルの受信信号電力（送信ダイバーシチ利得を考慮しない）の短区間中央値とし、瞬時変動の影響を除去する程度にチャネルベクトルの電力の合計値を時間平均する操作をＥ［］とすると、時間平均は、下式の様に正規化する。
【００１５】
【数２４】
0003758075.tif 000006
【００１６】
【数２５】
0003758075.tif 000007
【００１７】
一方Ｒａｋｅ合成後の雑音干渉電力Ｉは以下のように表される。
【００１８】
【数２６】
0003758075.tif 000008
【００１９】
ただし、σk2は各パス位置における雑音干渉電力であり、以下のように表される。
【００２０】
【数２７】
0003758075.tif 000009
【００２１】
ただし、Ｎは熱雑音および他セル干渉の電力を示し、
【外６２】
0003758075.tif 000010
【００２２】
は当該セルからの各送信アンテナの送受信電力の短区間中央値を示す。
【００２３】
ＳＩＲは以下のように表される。
【００２４】
【数２８】
0003758075.tif 000011
【００２５】
文献（３ＧＰＰ  ＲＡＮ  ＴＳ２５．２１１  Ｖ３．１．０，Ｄｅｃ  １９９９）に記述があるように、閉ループモード１では個別パイロットシンボルは各アンテナで直交パターンを伝送する。これは、移動機側で送信アンテナ２のウェイトベクトルを、アンテナ２から送信された個別パイロットシンボルをＲａｋｅ合成して推定するためである。従来の受信信号電力測定では、この直交して送信されるアンテナ１と２のパイロットのＲａｋｅ合成後振幅を足し算した後、電力を計算する方法をとっていた。即ち、各アンテナからの受信信号は互いに直交したパターンであるために分離された形でＲａｋｅ合成され、それらを加算した後に電力を計算していた。以下に従来方法の一例を、式を交えてより詳細に説明する。  移動機で推定する受信信号電力
【外６３】
0003758075.tif 000012
【００２６】
は、例えば以下のように表すことが出来る。
【００２７】
【数２９】
0003758075.tif 000013
【００２８】
ただし、
【外６４】
0003758075.tif 000014
【００２９】
はそれぞれアンテナ１とアンテナ２の個別パイロットのＲａｋｅ合成後受信信号として以下の様に求める。
【００３０】
【数３０】
0003758075.tif 000015
【００３１】
【数３１】
0003758075.tif 000016
【００３２】
ただし、ｘ1(n)とｘ2(n)はそれぞれ送信アンテナ１，２から送信される互いに直交した個別パイロットの変調シンボルパターンを、
【外６５】
0003758075.tif 000017
【００３３】
はそれぞれ共通パイロットチャネルの受信信号から推定されるｋ番目のパスのアンテナ１とアンテナ２のチャネル推定値を示す。以下の説明では、このようにＲａｋｅ合成に用いるチャネル推定値は共通パイロットチャネルの受信信号から算出することを仮定するが、個別パイロットシンボルを使用する場合や、共通パイロットチャネルと個別パイロットシンボルを併用する場合においても、同様に受信ＳＮＩＲが求められ、本発明の適用も同様の効果を示す。
【外６６】
0003758075.tif 000018
【００３４】
はアンテナ２のウェイトベクトルの推定値を示す。ＮDPは個別パイロットシンボル数、ＳＦDCHは個別チャネルの拡散符号長を示し、チップあたりの出力とするために割り算を施しているが、省略しても問題はない。また、数式(１０)、(１１)中のｒk(n)は、ＤＣＨのｋ番目のフィンガの受信逆拡散信号ベクトルとして以下のように表される。
【００３５】
【数３２】
0003758075.tif 000019
【００３６】
ここで、式中のｉkは雑音干渉成分を示す。
【００３７】
この受信信号電力推定値は、雑音干渉成分を無視すると、
【００３８】
【数３３】
0003758075.tif 000020
【００３９】
となる。ただし、
【外６７】
0003758075.tif 000021
【００４０】
は共通パイロットチャネルの受信電力の短区間中央値を示す。
【００４１】
数式(１３)において、受信信号電力の推定値
【外６８】
0003758075.tif 000022
【００４２】
は、数式（３）に示すＳと同じ値、或いは定数倍には収束しない。これは、ウェイトベクトルを制御することによる送信ダイバーシチ利得が計算に入らないことによるものである。
【００４３】
【発明が解決しようとする課題】
前述したように従来の、送信ダイバーシチ閉ループモード１を適用している場合の移動端末における受信信号電力測定は、送信ダイバーシチによって得られる利得分を考慮していない方法であったため、データシンボルのＲａｋｅ合成後の受信信号電力とは異なった値に収束する。これにより、送信電力制御の誤差が大きくなり、特に送信ダイバーシチ利得が大きい低速移動環境では送信電力の増大、容量の劣化や通信品質の劣化の原因となっていた。
【００４４】
そこで本発明は、送信ダイバーシチによって得られる利得分を考慮した受信信号電力測定を行うことで、より高精度な送信電力制御を実現し送信電力の低減、容量の増大、通信の高品質化を実現することを目的とする。
【００４５】
【課題を解決するための手段】
すなわち、このような課題を達成するために、請求項１記載の発明は、基地局において送信ダイバーシチを適用できる移動通信システムにおいて、該移動通信システムを構成する移動通信端末であって、送信ダイバーシチによって得られる利得分を推定する送信ダイバーシチ利得推定手段と、共通パイロットチャネルの受信信号から、各送信アンテナからの各マルチパスのチャネルベクトルを推定するチャネルベクトル推定手段と、各送信アンテナのウェイトベクトルを推定するウェイトベクトル推定手段と、チャネルベクトルの推定値とウェイトベクトルの推定値を用いて、各送信アンテナからのパイロット信号のＲａｋｅ合成出力信号の平均値を推定するＲａｋｅ合成後パイロット信号平均化手段と、前記Ｒａｋｅ合成出力信号の平均値に、前記送信ダイバーシチによって得られる利得分の推定値を反映する送信ダイバーシチ利得反映手段と、送信ダイバーシチ利得反映後の受信信号電力を計算する受信信号電力計算手段とを備えることを特徴とする。
【００４６】
また、請求項２記載の発明は、請求項１記載の移動通信端末において、前記送信ダイバーシチ利得推定手段は、前記ウェイトベクトルの推定値と前記チャネルベクトルの推定値とを用いて、前記各送信アンテナからの受信信号のＲａｋｅ合成後の受信信号振幅と送信ダイバーシチを適用された信号のＲａｋｅ合成後の受信信号振幅との比を推定する送信ダイバーシチ利得比計算手段を備え、前記送信ダイバーシチ利得反映手段は、前記送信ダイバーシチ利得比計算手段により計算された利得比を、各送信アンテナからの信号のＲａｋｅ合成出力信号にかけあわせることを特徴とする。
【００４７】
また、請求項３記載の発明は、請求項２記載の移動通信端末において、前記Ｒａｋｅ合成後パイロット信号平均化手段は、アンテナ１とアンテナ２の個別パイロットシンボルの変調パターンをそれぞれｘ1(n)とｘ2(n)とし、逆拡散を行うフィンガの数をＫとし、前記チャネルベクトル推定手段により得られる、アンテナ１とアンテナ２のｋ番目のフィンガのチャネル推定値をそれぞれ
【外６９】
0003758075.tif 000023
【００４８】
とし、前記ウェイトベクトル推定手段により得られるアンテナ２のウェイトベクトルを
【外７０】
0003758075.tif 000024
【００４９】
とし、個別チャネルの拡散符号長をＳＦDCHとし、個別パイロットシンボル数をＮDPとし、ＤＣＨのｋ番目のフィンガの受信逆拡散信号をｒk（ｎ）とし、アンテナ１とアンテナ２の個別パイロットシンボルのＲａｋｅ合成後信号を
【外７１】
0003758075.tif 000025
【００５０】
とした場合、送信アンテナ１と送信アンテナ２の個別パイロットシンボルのＲａｋｅ合成後信号をそれぞれ数式（１０）、（１１）を計算し出力することを特徴とする。
【００５１】
また、請求項４記載の発明は、請求項２記載の移動通信端末において、前記ダイバーシチ利得比推定手段は、逆拡散を行うフィンガの数をＫとし、前記チャネルベクトル推定手段により得られる、アンテナ１とアンテナ２のｋ番目のフィンガのチャネル推定値をそれぞれ
【外７２】
0003758075.tif 000026
【００５２】
とし、前記ウェイトベクトル推定手段により得られるアンテナ２のウェイトベクトルを
【外７３】
0003758075.tif 000027
【００５３】
とし、アンテナ１とアンテナ２の送信ダイバーシチ利得比をそれぞれ
【外７４】
0003758075.tif 000028
【００５４】
とした場合に、数式(１７)、（１８）を計算し出力することを特徴とする。
【００５５】
また、請求項５記載の発明は、請求項２記載の移動通信端末において、前記送信ダイバーシチ利得反映手段は、アンテナ１とアンテナ２の個別パイロットシンボルのＲａｋｅ合成後信号を
【外７５】
0003758075.tif 000029
【００５６】
とし、アンテナ１とアンテナ２の送信ダイバーシチ利得比をそれぞれ
【外７６】
0003758075.tif 000030
【００５７】
とし、送信ダイバーシチ利得反映後の信号をそれぞれ
【外７７】
0003758075.tif 000031
【００５８】
とした場合に、利得分の推定値の反映後の信号をそれぞれ
【００５９】
【数３４】
0003758075.tif 000032
【００６０】
と計算し出力することを特徴とする。
【００６１】
また、請求項６記載の発明は、請求項２記載の移動通信端末において、前記受信信号電力計算手段は、送信ダイバーシチ利得反映後の信号をそれぞれ
【外７８】
0003758075.tif 000033
【００６２】
とし、前記受信信号電力を
【外７９】
0003758075.tif 000034
【００６３】
とした場合に、
【００６４】
【数３５】
0003758075.tif 000035
【００６５】
と計算し出力することを特徴とする。
【００６６】
また、請求項７記載の発明は、請求項１記載の移動通信端末において、前記送信ダイバーシチ利得推定手段は、前記ウェイトベクトルの推定値と前記チャネルベクトルの推定値を用いて、各送信アンテナからの受信信号のＲａｋｅ合成後の受信信号振幅と送信ダイバーシチを適用された信号のＲａｋｅ合成後の受信信号振幅の差を推定する送信ダイバーシチ利得差分計算手段を備え、前記送信ダイバーシチ利得反映手段は、前記送信ダイバーシチ利得差分計算手段により計算された差分を、各送信アンテナからの信号のＲａｋｅ合成出力信号に足し合わせることを特徴とする。
【００６７】
また、請求項８記載の発明は、請求項７記載の移動通信端末において、前記Ｒａｋｅ合成後パイロット信号平均化手段は、アンテナ１とアンテナ２の個別パイロットシンボルの変調パターンをそれぞれｘ1(n)とｘ2(n)とし、逆拡散を行うフィンガの数をＫとし、前記チャネルベクトル推定手段により得られる、アンテナ１とアンテナ２のｋ番目のフィンガのチャネル推定値をそれぞれ
【外８０】
0003758075.tif 000036
【００６８】
とし、前記ウェイトベクトル推定手段により得られるアンテナ２のウェイトベクトルを
【外８１】
0003758075.tif 000037
【００６９】
とし、個別チャネルの拡散符号長をＳＦDCHとし、個別パイロットシンボル数をＮDPとし、ＤＣＨのｋ番目のフィンガの受信逆拡散信号をｒk（ｎ）とし、アンテナ１とアンテナ２の個別パイロットシンボルのＲａｋｅ合成後信号を
【外８２】
0003758075.tif 000038
【００７０】
とした場合、送信アンテナ１と送信アンテナ２の個別パイロットシンボルのＲａｋｅ合成後信号をそれぞれ数式（１０）、（１１）を計算し出力することを特徴とする。
【００７１】
また、請求項９記載の発明は、請求項７記載の移動通信端末において、前記送信ダイバーシチ利得差分計算手段は、逆拡散を行うフィンガの数をＫとし、前記チャネルベクトル推定手段により得られる、アンテナ１とアンテナ２のｋ番目のフィンガのチャネル推定値をそれぞれ
【外８３】
0003758075.tif 000039
【００７２】
とし、前記ウェイトベクトル推定手段により得られるアンテナ２のウェイトベクトルを
【外８４】
0003758075.tif 000040
【００７３】
とし、アンテナ１とアンテナ２のｋ番目のフィンガの、個別パイロットチャネルから計算されるチャネル推定値をそれぞれ
【外８５】
0003758075.tif 000041
【００７４】
とし、複素数の実数部分をＲｅ［］とし、送信ダイバーシチ利得差を
【外８６】
0003758075.tif 000042
【００７５】
とした場合、
【００７６】
【数３６】
0003758075.tif 000043
【００７７】
と計算し出力することを特徴とする。
【００７８】
また、請求項１０記載の発明は、請求項７記載の移動通信端末において、前記送信ダイバーシチ利得反映手段は、アンテナ１とアンテナ２の個別パイロットシンボルのＲａｋｅ合成後信号を
【外８７】
0003758075.tif 000044
【００７９】
とし、送信ダイバーシチ利得差を
【外８８】
0003758075.tif 000045
【００８０】
とし、送信ダイバーシチ利得反映後の信号を
【外８９】
0003758075.tif 000046
【００８１】
とした場合、
【００８２】
【数３７】
0003758075.tif 000047
【００８３】
と計算し出力することを特徴とする。
【００８４】
また、請求項１１記載の発明は、請求項７記載の移動通信端末において、前記受信信号電力計算手段は、送信ダイバーシチ利得反映後の信号を
【外９０】
0003758075.tif 000048
【００８５】
とし、前記受信信号電力を
【外９１】
0003758075.tif 000049
【００８６】
とした場合、
【００８７】
【数３８】
0003758075.tif 000050
【００８８】
と計算し出力することを特徴とする。
【００８９】
また、請求項１２記載の発明は、基地局において送信ダイバーシチを適用できる移動通信システムにおいて、該移動通信システムを構成する移動通信端末であって、各送信アンテナのウェイトベクトルを推定するウェイトベクトル推定手段と、共通パイロットチャネルの受信値により各送信アンテナからの受信信号のチャネルベクトルを推定するチャネルベクトル推定手段と、前記ウェイトベクトルの推定値と前記チャネルベクトルの推定値を用いて、送信ダイバーシチを適用した場合の共通パイロットチャネルの受信信号電力を計算する送信ダイバーシチ適用共通パイロットチャネル受信信号電力計算手段と、共通パイロットチャネルと個別物理チャネルの送信電力比を推定する送信電力比推定手段と、前記送信ダイバーシチ適用共通パイロットチャネル受信信号電力計算手段によって計算された受信信号電力と前記送信電力比推定手段によって計算された送信電力比とをかけあわせて送信ダイバーシチ利得反映後の個別物理チャネルの電力を計算する受信信号電力計算手段とを備えることを特徴とする。
【００９０】
また、請求項１３記載の発明は、請求項１２記載の移動通信端末において、前記送信ダイバーシチ適用共通パイロットチャネル受信信号電力計算手段は、逆拡散を行うフィンガの数をＫとし、前記チャネルベクトル推定手段により得られる、アンテナ１とアンテナ２のｋ番目のフィンガのチャネル推定値をそれぞれ
【外９２】
0003758075.tif 000051
【００９１】
とし、前記ウェイトベクトル推定手段により得られるアンテナ２のウェイトベクトルを
【外９３】
0003758075.tif 000052
【００９２】
とし、前記送信ダイバーシチ適用共通パイロットチャネル受信信号電力を
【外９４】
0003758075.tif 000053
【００９３】
とした場合、
【００９４】
【数３９】
0003758075.tif 000054
【００９５】
と計算し出力することを特徴とする。
【００９６】
また、請求項１４記載の発明は、請求項１２記載の移動通信端末において、前記送信電力比推定手段は、逆拡散を行うフィンガの数をＫとし、アンテナ１とアンテナ２のｋ番目のフィンガのチャネル推定値をそれぞれ
【外９５】
0003758075.tif 000055
【００９７】
とし、前記送信ダイバーシチ適用共通パイロットチャネル受信信号電力を
【外９６】
0003758075.tif 000056
【００９８】
とし、アンテナ１とアンテナ２のｋ番目のフィンガの、個別パイロットチャネルから計算されるチャネル推定値をそれぞれ
【外９７】
0003758075.tif 000057
【００９９】
とし、前記送信電力を
【外９８】
0003758075.tif 000058
【０１００】
とした場合、
【０１０１】
【数４０】
0003758075.tif 000059
【０１０２】
と計算し出力することを特徴とする。
【０１０３】
また、請求項１５記載の発明は、基地局において送信ダイバーシチを適用できる移動通信システムにおける受信信号電力測定方法であって、送信ダイバーシチによって得られる利得分を推定する送信ダイバーシチ利得推定工程と、各送信アンテナからのパイロット信号のＲａｋｅ合成出力信号の平均値を推定するＲａｋｅ合成後パイロット信号平均化工程と、該Ｒａｋｅ合成出力信号の平均値に、前記送信ダイバーシチによって得られる利得分の推定値を反映する送信ダイバーシチ利得反映工程と、送信ダイバーシチ利得反映後の受信信号電力を計算する受信信号電力計算工程とを備えることを特徴とする。
【０１０４】
また、請求項１６記載の発明は、請求項１５記載の受信信号電力測定方法において、前記送信ダイバーシチ利得推定工程は、各送信アンテナのウェイトベクトルを推定するウェイトベクトル推定工程と、共通パイロットチャネルの受信値により各送信アンテナからの受信信号のチャネルベクトルを推定するチャネルベクトル推定工程と、前記ウェイトベクトルの推定値と前記チャネルベクトルの推定値を用いて、各受信信号の各アンテナからの受信信号のＲａｋｅ合成後の受信信号振幅と送信ダイバーシチを適用された信号のＲａｋｅ合成後の受信信号振幅との比を推定する送信ダイバーシチ利得比計算工程とを備え、前記送信ダイバーシチ利得反映工程は、前記送信ダイバーシチ利得比計算工程により計算された利得比を、各送信アンテナからの信号のＲａｋｅ合成出力信号にかけあわせることを特徴とする。
【０１０５】
また、請求項１７記載の発明は、請求項１６記載の受信信号電力測定方法において、前記Ｒａｋｅ合成後パイロット信号平均化工程は、アンテナ１とアンテナ２の個別パイロットシンボルの変調パターンをそれぞれｘ1(n)とｘ2(n)とし、逆拡散を行うフィンガの数をＫとし、前記チャネルベクトル推定工程により得られる、アンテナ１とアンテナ２のｋ番目のフィンガのチャネル推定値をそれぞれ
【外９９】
0003758075.tif 000060
【０１０６】
とし、前記ウェイトベクトル推定工程により得られるアンテナ２のウェイトベクトルを
【外１００】
0003758075.tif 000061
【０１０７】
とし、個別チャネルの拡散符号長をＳＦDCHとし、個別パイロットシンボル数をＮDPとし、ＤＣＨのｋ番目のフィンガの受信逆拡散信号をｒk（ｎ）とし、アンテナ１とアンテナ２の個別パイロットシンボルのＲａｋｅ合成後信号を
【外１０１】
0003758075.tif 000062
【０１０８】
とした場合、送信アンテナ１と送信アンテナ２の個別パイロットシンボルのＲａｋｅ合成後信号をそれぞれ数式（１０）、（１１）を計算し出力することを特徴とする。
【０１０９】
また、請求項１８記載の発明は、請求項１６記載の受信信号電力測定方法において、前記ダイバーシチ利得比推定工程は、逆拡散を行うフィンガの数をＫとし、前記チャネルベクトル推定工程により得られる、アンテナ１とアンテナ２のｋ番目のフィンガのチャネル推定値をそれぞれ
【外１０２】
0003758075.tif 000063
【０１１０】
とし、前記ウェイトベクトル推定工程により得られるアンテナ２のウェイトベクトルを
【外１０３】
0003758075.tif 000064
【０１１１】
とし、アンテナ１とアンテナ２の送信ダイバーシチ利得比をそれぞれ
【外１０４】
0003758075.tif 000065
【０１１２】
とした場合に、数式（１７）、（１８）を計算し出力することを特徴とする。
【０１１３】
また、請求項１９記載の発明は、請求項１６記載の受信信号電力測定方法において、前記送信ダイバーシチ利得反映工程は、アンテナ１とアンテナ２の個別パイロットシンボルのＲａｋｅ合成後信号を
【外１０５】
0003758075.tif 000066
【０１１４】
とし、アンテナ１とアンテナ２の送信ダイバーシチ利得比をそれぞれ
【外１０６】
0003758075.tif 000067
【０１１５】
とし、送信ダイバーシチ利得反映後の信号をそれぞれ
【外１０７】
0003758075.tif 000068
【０１１６】
とした場合に、
【０１１７】
【数４１】
0003758075.tif 000069
【０１１８】
と計算し出力することを特徴とする。
【０１１９】
また、請求項２０記載の発明は、請求項１６記載の受信信号電力測定方法において、前記受信信号電力計算工程は、送信ダイバーシチ利得反映後の信号をそれぞれ
【外１０８】
0003758075.tif 000070
【０１２０】
とし、前記受信信号電力を
【外１０９】
0003758075.tif 000071
【０１２１】
とした場合に、
【０１２２】
【数４２】
0003758075.tif 000072
【０１２３】
と計算し出力することを特徴とする。
【０１２４】
また、請求項２１記載の発明は、請求項１６記載の受信信号電力測定方法において、前記送信ダイバーシチ利得推定工程は、前記ウェイトベクトルの推定値と前記チャネルベクトルの推定値を用いて、各受信信号の各アンテナからの受信信号のＲａｋｅ合成後の受信信号振幅と送信ダイバーシチを適用された信号のＲａｋｅ合成後の受信信号振幅の差を推定する送信ダイバーシチ利得差分計算工程を備え、前記送信ダイバーシチ利得反映工程は、前記受信信号振幅の差を推定する工程により計算された差分を、各送信アンテナからの信号のＲａｋｅ合成出力信号に足し合わせることを特徴とする。
【０１２５】
また、請求項２２記載の発明は、請求項２１記載の受信信号電力測定方法において、前記Ｒａｋｅ合成後パイロット信号平均化工程は、アンテナ１とアンテナ２の個別パイロットシンボルの変調パターンをそれぞれｘ1(n)とｘ2(n)とし、逆拡散を行うフィンガの数をＫとし、前記チャネルベクトル推定工程により得られる、アンテナ１とアンテナ２のｋ番目のフィンガのチャネル推定値をそれぞれ
【外１１０】
0003758075.tif 000073
【０１２６】
とし、前記ウェイトベクトル推定工程により得られるアンテナ２のウェイトベクトルを
【外１１１】
0003758075.tif 000074
【０１２７】
とし、個別チャネルの拡散符号長をＳＦDCHとし、個別パイロットシンボル数をＮDPとし、ＤＣＨのｋ番目のフィンガの受信逆拡散信号をｒk（ｎ）とし、アンテナ１とアンテナ２の個別パイロットシンボルのＲａｋｅ合成後信号を
【外１１２】
0003758075.tif 000075
【０１２８】
とした場合、送信アンテナ１と送信アンテナ２の個別パイロットシンボルのＲａｋｅ合成後信号をそれぞれ数式(１０)、（１１）を計算し出力することを特徴とする。
【０１２９】
また、請求項２３記載の発明は、請求項２１記載の受信信号電力測定方法において、前記送信ダイバーシチ利得差分計算工程は、逆拡散を行うフィンガの数をＫとし、前記チャネルベクトル推定工程により得られる、アンテナ１とアンテナ２のｋ番目のフィンガのチャネル推定値をそれぞれ
【外１１３】
0003758075.tif 000076
【０１３０】
とし、前記ウェイトベクトル推定工程により得られるアンテナ２のウェイトベクトルを
【外１１４】
0003758075.tif 000077
【０１３１】
とし、アンテナ１とアンテナ２のｋ番目のフィンガの、個別パイロットチャネルから計算されるチャネル推定値をそれぞれ
【外１１５】
0003758075.tif 000078
【０１３２】
とし、複素数の実数部分をＲｅ［］とし、送信ダイバーシチ利得差を
【外１１６】
0003758075.tif 000079
【０１３３】
とした場合、
【０１３４】
【数４３】
0003758075.tif 000080
【０１３５】
と計算し出力することを特徴とする。
【０１３６】
また、請求項２４記載の発明は、請求項２１記載の受信信号電力測定方法において、前記送信ダイバーシチ利得反映工程は、アンテナ１とアンテナ２の個別パイロットシンボルのＲａｋｅ合成後信号を
【外１１７】
0003758075.tif 000081
【０１３７】
とし、送信ダイバーシチ利得差を
【外１１８】
0003758075.tif 000082
【０１３８】
とし、送信ダイバーシチ利得反映後の信号を
【外１１９】
0003758075.tif 000083
【０１３９】
とした場合、
【０１４０】
【数４４】
0003758075.tif 000084
【０１４１】
と計算して出力することを特徴とする。
【０１４２】
また、請求項２５記載の発明は、請求項２１記載の受信信号電力測定方法において、前記受信信号電力計算工程は、送信ダイバーシチ利得反映後の信号を
【外１２０】
0003758075.tif 000085
【０１４３】
とし、前記受信信号電力を
【外１２１】
0003758075.tif 000086
【０１４４】
とした場合、
【０１４５】
【数４５】
0003758075.tif 000087
【０１４６】
と計算し出力することを特徴とする。
【０１４７】
請求項２６記載の発明は、基地局において送信ダイバーシチを適用できる移動通信システムにおける受信信号電力測定方法であって、各送信アンテナのウェイトベクトルを推定するウェイトベクトル推定工程と、共通パイロットチャネルの受信値により各送信アンテナからの受信信号のチャネルベクトルを推定するチャネルベクトル推定工程と、前記ウェイトベクトルの推定値と前記チャネルベクトルの推定値を用いて、送信ダイバーシチを適用した場合の共通パイロットチャネルの受信信号電力を計算する送信ダイバーシチ適用共通パイロットチャネル受信信号電力計算工程と、共通パイロットチャネルと個別物理チャネルの送信電力比を推定する送信電力比推定工程と、前記共通パイロットチャネルの受信信号電力を計算する工程で計算された受信信号電力と前記送信電力比を推定する工程で計算された送信電力比とをかけあわせることで、送信ダイバーシチ利得反映後の個別物理チャネルの電力を計算する受信信号電力計算工程とを備えることを特徴とする。
【０１４８】
また、請求項２７記載の発明は、請求項２６記載の受信信号電力測定方法において、前記送信ダイバーシチ適用共通パイロットチャネル受信信号電力計算工程は、逆拡散を行うフィンガの数をＫとし、前記チャネルベクトル推定工程により得られる、アンテナ１とアンテナ２のｋ番目のフィンガのチャネル推定値をそれぞれ
【外１２２】
0003758075.tif 000088
【０１４９】
とし、前記ウェイトベクトル推定工程により得られるアンテナ２のウェイトベクトルを
【外１２３】
0003758075.tif 000089
【０１５０】
とし、前記送信ダイバーシチ適用共通パイロットチャネル受信信号電力を
【外１２４】
0003758075.tif 000090
【０１５１】
とした場合、数式（２６）を計算し出力することを特徴とする。
【０１５２】
さらに、請求項２８記載の発明は、請求項２７記載の受信信号電力測定方法において、前記送信電力比推定工程は、逆拡散を行うフィンガの数をＫとし、アンテナ１とアンテナ２のｋ番目のフィンガのチャネル推定値をそれぞれ
【外１２５】
0003758075.tif 000091
【０１５３】
とし、アンテナ１とアンテナ２のｋ番目のフィンガの、個別パイロットチャネルから計算されるチャネル推定値をそれぞれ
【外１２６】
0003758075.tif 000092
【０１５４】
とし、前記送信ダイバーシチ適用共通パイロットチャネル受信信号電力を
【外１２７】
0003758075.tif 000093
【０１５５】
とし、前記受信信号電力を
【外１２８】
0003758075.tif 000094
【０１５６】
とした場合
【０１５７】
【数４６】
0003758075.tif 000095
【０１５８】
と計算し出力することを特徴とする。
【０１５９】
【発明の実施の形態】
以下、図面、式を用いて本発明の実施の形態について説明する。
【０１６０】
（第１実施形態）
図３は、本発明が適用される送信ダイバーシチ閉ループモード１を適用した場合のＣＤＭＡ移動端末内の受信装置の概要構成を示したものである。
【０１６１】
受信無線部では、無線基地局より送信された無線信号を受信し、周波数変換、およびフィルタリングを行い、ベースバンド信号を出力する。逆拡散部では、ベースバンド信号の逆拡散が行われ、ウェイトベクトル推定部、受信データ復調部および受信ＳＮＩＲ計算部に入力される。ウェイトベクトル推定部では、アンテナ２から送信された個別パイロットシンボルの受信信号と共通パイロットチャネルを用いて送信アンテナ２で用いられたウェイトベクトルを推定する。受信データ復調部では、共通パイロットチャネルおよび個別パイロットシンボルを用いて推定されたチャネルベクトルと、前記ウェイトベクトルとを用いてＲａｋｅ合成を行い、更に、誤り訂正復号などが行われ、受信データが復調される。
【０１６２】
同時に、受信逆拡散信号は受信ＳＮＩＲ測定部に入力される。受信ＳＮＩＲ測定部はスロット毎に受信ＳＮＩＲが出力され、これはＳＮＩＲ比較部によって受信される。受信ＳＮＩＲ測定部では、出力された値と目標ＳＮＩＲとの比較が行われ、比較結果に基づいて、送信電力制御ビットが出力される。
【０１６３】
図４は、本実施形態における受信ＳＮＩＲ測定部の概要構成例を示したものである。受信逆拡散信号およびウェイト推定値は、それぞれ受信信号電力測定部と受信雑音干渉電力測定部に入力され、それぞれの測定結果を、除算器にて割り算し、受信ＳＮＩＲが求められる。
【０１６４】
図５は、本実施形態における受信信号電力測定部の構成例を示したものである。ここで、太矢印は、複数フィンガによって得られる複数の信号系列の流れをまとめて示している。チャネル推定部では、受信信号電力測定で実行されるＲａｋｅ合成用に、共通パイロットチャネルの変調位相を戻して平均化を行うことで送信アンテナ１および２の各マルチパスのチャネル推定値を求める。Ｒａｋｅ合成部では、該チャネル推定値と、個別パイロットシンボルをＲａｋｅ合成し、さらにアンテナ１および２それぞれの個別パイロットシンボルの変調パターン（図中のｘ1*とｘ2*）の複素共役を乗算することにより変調位相をもどし、それぞれのアンテナからの信号のＲａｋｅ合成出力を得る。それぞれのアンテナからの信号のＲａｋｅ合成出力
【外１２９】
0003758075.tif 000096
【０１６５】
は
【０１６６】
【数４７】
0003758075.tif 000097
【０１６７】
のように表現することができる。これは、上述の数式（１０）および数式（１１）で示したＲａｋｅ合成出力信号と同様である。
【０１６８】
更に送信ダイバーシチ利得推定部では共通パイロットチャネル、およびウェイトベクトルの推定値を用いて、各アンテナからのＲａｋｅ合成後の受信信号振幅と、送信ダイバーシチ合成後のＲａｋｅ合成後の受信信号振幅の比の推定値を算出する。送信ダイバーシチ利得推定部が算出した比はそれぞれのアンテナからのＲａｋｅ合成出力とかけあわせて、足し算した後に電力を求めることにより、最終的なＲａｋｅ合成後受信信号電力を得る。ここで、推定されたＲａｋｅ合成後受信信号電力
【外１３０】
0003758075.tif 000098
【０１６９】
は以下のように表わされる。
【０１７０】
【数４８】
0003758075.tif 000099
【０１７１】
ここで、
【外１３１】
0003758075.tif 000100
【０１７２】
は送信ダイバーシチ利得推定部で推定された各アンテナからのＲａｋｅ合成後の受信信号振幅と、送信ダイバーシチ合成後のＲａｋｅ合成後の受信信号振幅の比を示す。
【０１７３】
図６は、本実施形態で用いられる送信ダイバーシチ利得推定部の構成例を示したものである。図中の３個のＲａｋｅ合成部ではそれぞれ、アンテナ１のチャネル推定値、アンテナ２のチャネル推定値、およびウェイトベクトルの推定値とアンテナ２のチャネル推定値をかけあわせてアンテナ１のチャネル推定値と合成したもの、即ち送信ダイバーシチを施した場合のチャネル推定値を自身でＲａｋｅ合成する。各Ｒａｋｅ合成部の出力は、各チャネル推定値の２乗がＫフィンガ分加算して出力する。
【０１７４】
さらに除算器は、それぞれのアンテナのＲａｋｅ合成出力を、送信ダイバーシチを施した場合のＲａｋｅ合成出力により除算し、送信ダイバーシチ利得推定部で推定された各アンテナからのＲａｋｅ合成後の受信信号振幅と、送信ダイバーシチ合成後のＲａｋｅ合成後の受信信号振幅の比を出力する。送信ダイバーシチ利得推定部で推定された各アンテナからのＲａｋｅ合成後の受信信号振幅と、送信ダイバーシチ合成後のＲａｋｅ合成後の受信信号振幅の比
【外１３２】
0003758075.tif 000101
【０１７５】
は、
【０１７６】
【数４９】
0003758075.tif 000102
【０１７７】
のように表される。
【０１７８】
以上の説明の様に、本実施形態によれば、送信ダイバーシチによって得られる利得を反映した受信信号電力の測定を行うことが出来る。事実、数式(１６)で示される受信信号電力の推定値は、
【０１７９】
【数５０】
0003758075.tif 000103
【０１８０】
となり、数式（３）で示した受信信号電力と比例する値に収束する。
【０１８１】
これにより高精度なＳＩＮＲ測定を実現し、容量の増大、送信電力の低減、通信の高品質化が可能となる。
【０１８２】
（第２実施形態）
図７は、本発明の他の実施形態における受信信号電力測定部の構成例を示したものである。なお、受信機における、受信信号電力測定部以外の各部の動作は、第１実施形態に準ずるものとする。
【０１８３】
図７に示す受信信号電力測定部において、チャネル推定部、Ｒａｋｅ合成部、または、個別パイロットシンボルの変調パターン（図中のｘ1*とｘ2*）の複素共役を乗算することにより、位相をもどし、それぞれのアンテナからの信号のＲａｋｅ合成出力を得る動作については、第１実施形態において図５に示すブロックの動作と同様であるとする。
【０１８４】
図７の送信ダイバーシチ利得推定部において、共通パイロットチャネルと個別チャネルの受信逆拡散信号およびウェイトベクトルの推定値を用いて、各アンテナからのＲａｋｅ合成後の受信信号振幅と、送信ダイバーシチ合成後のＲａｋｅ合成後の受信信号振幅の差分の推定値を算出する。送信ダイバーシチ利得推定部で算出した差分はそれぞれのアンテナからのＲａｋｅ合成出力と足し合わせて、電力を求めることにより、最終的なＲａｋｅ合成後受信信号電力を得る。
【０１８５】
ここで、推定されたＲａｋｅ合成後受信信号電力
【外１３３】
0003758075.tif 000104
【０１８６】
は以下のように表わされる。
【０１８７】
【数５１】
0003758075.tif 000105
【０１８８】
ただし、
【外１３４】
0003758075.tif 000106
【０１８９】
は、送信ダイバーシチ利得推定部において算出された、各アンテナからのＲａｋｅ合成後の受信信号振幅と、送信ダイバーシチ合成後のＲａｋｅ合成後の受信信号振幅の差分の推定値を示すものである。本実施形態において、送信ダイバーシチ利得推定部は
【外１３５】
0003758075.tif 000107
【０１９０】
を算出するが、この差分は、数式（２）で示されるＲａｋｅ合成後受信信号振幅について
【０１９１】
【数５２】
0003758075.tif 000108
と、展開した時の右辺第３項を測定する操作とする。ここで、Ｒｅ［］は、複素数の実数部分を表す。
【０１９２】
図８は図７における送信ダイバーシチ利得推定部の構成例を示したものである。図８において、アンテナ２の各チャネル推定値は、ウェイトベクトル推定値の複素共役がかけあわされた後、アンテナ１の各チャネル推定値の複素共役がかけあわされ、Ｋフィンガ分合成される。また、送信振幅比推定部では共通パイロットチャネルの受信逆拡散信号と個別パイロットシンボルの受信逆拡散信号から共通パイロットチャネルと個別チャネルの送信振幅比の推定が行われ、送信振幅比の推定値
【外１３６】
0003758075.tif 000109
【０１９３】
に対して乗算器で２．０倍された後に、加算器の出力と乗算して
【外１３７】
0003758075.tif 000110
【０１９４】
が算出される。算出した
【外１３８】
0003758075.tif 000111
【０１９５】
は、次式で示すことが出来る。
【０１９６】
【数５３】
0003758075.tif 000112
【０１９７】
図９は、図８における送信振幅推定部の構成例を示したものである。
【０１９８】
図９においてチャネル推定部でそれぞれ、共通パイロットチャネルと、個別パイロットシンボルを用いたチャネル推定を行い、Ｒａｋｅ合成部では、その出力をそれぞれ共通パイロットチャネルのチャネル推定値でＲａｋｅ合成する。Ｒａｋｅ合成出力を除算器で割り算することにより共通パイロットチャネルと個別チャネルの送信電力比を求める。
【外１３９】
0003758075.tif 000113
【０１９９】
は次式のように示すことが出来る。
【０２００】
【数５４】
0003758075.tif 000114
【０２０１】
ただし、
【外１４０】
0003758075.tif 000115
【０２０２】
は個別パイロットチャネルによるチャネル推定値を示す。
【０２０３】
以上の説明の様に、本実施形態によれば、送信ダイバーシチによって得られる利得を反映した受信信号電力の測定を行うことが出来る。事実、数式（２０）で示される受信信号電力の推定値は、
【０２０４】
【数５５】
0003758075.tif 000116
【０２０５】
となり、数式（３）で示した受信信号電力と比例する値に収束する。
【０２０６】
これにより高精度なＳＩＮＲ測定を実現し、容量の増大、送信電力の低減、通信の高品質化が可能となる。
【０２０７】
更に、基地局で送信ダイバーシチを行っていない（１アンテナのみによる送信をしている）時に、移動端末が送信ダイバーシチ閉ループモード１で受信している場合であっても、アンテナ２からのチャネルベクトルの推定が適切に行われていれば、受信ＳＩＮＲの測定が発散することはない。具体的に示せば、例えば第１実施形態の場合には、アンテナ２からの受信信号振幅で、割り算をする箇所があるために、実際にアンテナ２から送信されていない場合には受信信号電力測定が発散する可能性があるが、本実施形態ではその様な状況が生じることはない。これにより、例えば、送信ダイバーシチを適用している基地局と、適用していない基地局が混在するようなシステムであっても、移動端末は常に適用していると認識して受信信号電力測定を行うことができる。
【０２０８】
（第３実施形態）
図１０は本発明他の実施形態における受信信号電力測定部の構成例を示したものである。
【０２０９】
共通パイロット受信電力推定部ではウェイトベクトル推定値および共通パイロットによるチャネル推定値を用いて共通パイロットチャネルに送信ダイバーシチ閉ループモード１を適用した場合に得られる受信信号電力を推定する。共通パイロットチャネルはセル内の複数ユーザで共有されるチャネルであるので実際には閉ループモード１は適用されていないが、ウェイトベクトルの推定値を用いて、適用された場合に得られる受信信号電力をここで求めておく。また、送信振幅比推定部では、第２実施形態における図８に示される同部と同様の動作により、共通パイロットチャネルと個別チャネルの送信電力比の推定を行う。２乗器では送信振幅比推定部において推定された送信振幅比を電力比に変換する。乗算器ではこの値と共通パイロット受信電力測定部の出力の乗算を行い、個別チャネルの受信信号電力推定値を得る。
【０２１０】
ここで、共通パイロット受信電力測定部の出力を
【外１４１】
0003758075.tif 000117
【０２１１】
とすると、個別チャネルの受信信号電力推定値
【外１４２】
0003758075.tif 000118
【０２１２】
は以下のように記述される。
【０２１３】
【数５６】
0003758075.tif 000119
【０２１４】
図１１は、図１０中の共通パイロット受信電力測定部の構成例を示す。図１１において、アンテナ２のチャネル推定値はウェイトベクトルの推定値をかけあわされた後アンテナ１のチャネル推定値と、各フィンガ毎に合成され、Ｒａｋｅ合成が行われる。更に２乗器で２乗され、共通パイロットチャネルに送信ダイバーシチ閉ループモード１を適用した場合に得られる受信信号電力が得られる。
【０２１５】
ここで、共通パイロット受信電力測定部の出力
【外１４３】
0003758075.tif 000120
【０２１６】
は
【０２１７】
【数５７】
0003758075.tif 000121
【０２１８】
のように記述される。
【０２１９】
以上の説明の様に、本実施形態によれば、送信ダイバーシチによって得られる利得を反映した受信信号電力の測定を行うことが出来る。事実、数式（２０）で示される受信信号電力の推定値は、
【０２２０】
【数５８】
0003758075.tif 000122
【０２２１】
となり、数式（３）で示した受信信号電力と比例する値に収束する。
【０２２２】
これにより高精度なＳＩＮＲ測定を実現し、容量の増大、送信電力の低減、通信の高品質化が可能となる。
【０２２３】
更に、基地局で送信ダイバーシチを行っていない（１アンテナのみによる送信をしている）時に、移動端末が送信ダイバーシチ閉ループモード１で受信している場合であっても、アンテナ２からのチャネルベクトルの推定が適切に行われていれば、受信ＳＩＮＲの測定が発散することはない。これにより、例えば、送信ダイバーシチを適用している基地局と、適用していない基地局が混在するようなシステムであっても、移動端末は常に適用していると認識して受信信号電力測定を行うことができる。
【０２２４】
【発明の効果】
以上説明したように、本発明によれば、送信ダイバーシチを行うことによって得られる送信ダイバーシチ利得を受信信号電力測定値に反映することにより、より高精度な送信電力制御が可能となる。
【０２２５】
また、送信ダイバーシチによって得られる利得分を比として求め、受信信号電力測定値に反映することにより、簡易な方法で送信ダイバーシチ利得分を計算し反映することが可能となる。
【０２２６】
また、送信ダイバーシチによって得られる利得分を差として求め、受信信号電力測定値に反映することにより、高精度な受信信号電力測定が可能となる。基地局において送信ダイバーシチを行っていない場合において、当構成を用いて受信信号電力測定を行った場合においても、アンテナ２の信号が無いことによるアルゴリズムの発散などがおこることは無い。従って移動機側では送信ダイバーシチが適用されている、いないに係わらず同じ構成で受信信号電力測定を行うことが出来る。
【０２２７】
更に、共通パイロットチャネルに送信ダイバーシチを適用した場合の受信信号電力を推定し、別途共通パイロットチャネルと個別チャネルの送信電力比を測定することで、より高精度な受信信号電力測定が可能となる。基地局において送信ダイバーシチを行っていない場合において、当構成を用いて受信信号電力測定を行った場合においても、アンテナ２の信号が無いことによるアルゴリズムの発散などがおこることは無い。従って移動機側では送信ダイバーシチが適用されている、いないに係わらず同じ構成で受信信号電力測定を行うことが出来る。
【図面の簡単な説明】
【図１】送信電力制御の流れと、無線スロット構成との関係の一例を示した図である。
【図２】送信ダイバーシチ閉ループモード１の概要構成を示した図である。
【図３】本発明が適用される送信ダイバーシチ閉ループモード１を適用した場合のＣＤＭＡ移動端末内の受信装置の概要構成を示した図である。
【図４】本発明が適用される送信ダイバーシチ閉ループモード１を適用した場合の受信ＳＮＩＲ測定部の概要構成例を示した図である。
【図５】第１実施形態における受信信号電力測定部の構成例を示した図である。
【図６】第１実施形態における送信ダイバーシチ利得推定部の構成例を示した図である。
【図７】第２実施形態における受信信号電力測定部の構成例を示した図である。
【図８】第２実施形態における送信ダイバーシチ利得推定部の構成例を示した図である。
【図９】第２実施形態における送信振幅比推定部の構成例を示した図である。
【図１０】第３実施形態における受信信号電力測定部の構成例を示した図である。
【図１１】第３実施形態における共通パイロット受信電力測定部の構成例を示した図である。
【図１】
0003758075.tif 000203
【図２】
0003758075.tif 000204
【図３】
0003758075.tif 000205
【図４】
0003758075.tif 000206
【図５】
0003758075.tif 000207
【図６】
0003758075.tif 000208
【図７】
0003758075.tif 000209
【図８】
0003758075.tif 000210
【図９】
0003758075.tif 000211
【図１０】
0003758075.tif 000212
【図１１】
0003758075.tif 000213